(57)【要約】      （修正有）【課題】オープンな感覚の外構とよくマッチする軽快な印象の伸縮門扉の提供。【解決手段】一方の縦桟１と、他方の縦桟２と、両縦桟間に設けた中間縦桟３と、一方の縦桟と中間縦桟の上部間に設けた一方側上部リンク４と、中間縦桟と他方の縦桟の上部間に設けた他方側上部リンク５と、一方側上部リンクよりも下方に一方の縦桟と中間縦桟間に設けた一方側下部リンク６と、他方側上部リンクよりも下方に中間縦桟と他方の縦桟間に設けた他方側下部リンク７とを備え、一方側上部リンク４と一方側下部リンク６は、一方の端部を一方の縦桟１に回動自在に連結し、他方の端部を中間縦桟３に回動自在に連結してあり、他方側上部リンク５と他方側下部リンク７は、一方の端部を中間縦桟３に回動自在に連結し、他方の端部を他方の縦桟２に回動自在に連結する。【選択図】図１
2009287307.tif 000002
【特許請求の範囲】
【請求項１】
一方の縦桟と、他方の縦桟と、両縦桟間に設けた中間縦桟と、一方の縦桟と中間縦桟の上部間に設けた一方側上部リンクと、中間縦桟と他方の縦桟の上部間に設けた他方側上部リンクと、一方側上部リンクよりも下方に一方の縦桟と中間縦桟間に設けた一方側下部リンクと、他方側上部リンクよりも下方に中間縦桟と他方の縦桟間に設けた他方側下部リンクとを備え、一方側上部リンクと一方側下部リンクは、一方の端部を一方の縦桟に回動自在に連結し、他方の端部を中間縦桟に回動自在に連結してあり、他方側上部リンクと他方側下部リンクは、一方の端部を中間縦桟に回動自在に連結し、他方の端部を他方の縦桟に回動自在に連結してあり、門扉を縮めたときに一方側上部リンクと一方側下部リンクが一方の縦桟との連結箇所を支点に上方に回動し、他方側上部リンクと他方側下部リンクが他方の縦桟との連結箇所を支点に上方に回動し、それに伴って中間縦桟が上方に移動することを特徴とする伸縮門扉。
【請求項２】
一方側上部リンクと一方側下部リンクは、一方側端部に設けた下向き傾斜部と水平部を有し、下向き傾斜部の先端部を一方の縦桟に回動自在に連結し、水平部の先端部を中間縦桟に回動自在に連結してあり、他方側上部リンクと他方側下部リンクは、他方側端部に設けた下向き傾斜部と水平部を有し、下向き傾斜部の先端部を他方の縦桟に回動自在に連結し、水平部の先端部を中間縦桟に回動自在に連結してあることを特徴とする請求項１記載の伸縮門扉。
【請求項３】
一方の縦桟と、他方の縦桟と、両縦桟間に設けた中間縦桟と、一方の縦桟と中間縦桟の上部間に設けた一方側上部リンクと、中間縦桟と他方の縦桟の上部間に設けた他方側上部リンクと、一方側上部リンクよりも下方に一方の縦桟と中間縦桟間に設けた一方側下部リンクと、他方側上部リンクよりも下方に中間縦桟と他方の縦桟間に設けた他方側下部リンクとを備え、中間縦桟は、伸縮自在としてあり、一方側上部リンクは、一方の端部を一方の縦桟の上部に回動自在に連結し、他方の端部を中間縦桟の上部に回動自在に連結してあり、他方側上部リンクは、一方の端部を中間縦桟の上部に回動自在に連結し、他方の端部を他方の縦桟の上部に回動自在に連結してあり、門扉を縮めたときに一方側上部リンクが一方の縦桟との連結箇所を支点に上方に回動し、他方側上部リンクが他方の縦桟との連結箇所を支点に上方に回動し、それに伴って中間縦桟が上方に伸びることを特徴とする伸縮門扉。
【請求項４】
一方側上部リンクと他方側上部リンクは、各縦桟の上端部に連結してあり且つ直線状に連続するように設けてあることを特徴とする請求項３記載の伸縮門扉。
【請求項５】
一方側下部リンクは、一方側第１下部リンク部材と一方側第２下部リンク部材とを有し、一方側第１下部リンク部材は、一方の端部を一方の縦桟の下部に回動自在に連結し、他方の端部を中間縦桟に回動自在に且つ縦桟の長手方向に沿って移動自在に連結してあり、一方側第２下部リンク部材は、一方の端部を一方の縦桟に回動自在に且つ縦桟の長手方向に沿って移動自在に連結し、他方の端部を中間縦桟の下部に回動自在に連結してあり、他方側下部リンクは、他方側第１下部リンク部材と他方側第２下部リンク部材とを有し、他方側第１下部リンク部材は、一方の端部を中間縦桟の下部に回動自在に連結し、他方の端部を他方の縦桟に回動自在に且つ縦桟の長手方向に沿って移動自在に連結してあり、他方側第２下部リンク部材は、一方の端部を中間縦桟に回動自在に且つ縦桟の長手方向に沿って移動自在に連結し、他方の端部を他方の縦桟の下部に回動自在に連結してあることを特徴とする請求項３又は４記載の伸縮門扉。
【請求項６】
一方側第１下部リンク部材と他方側第１下部リンク部材は、一方の端部に設けた下向き傾斜部と、他方の端部に設けた上向き傾斜部と、両傾斜部を繋ぐ水平部とを有するものであり、一方側第２下部リンク部材と他方側第２下部リンク部材は、一方の端部に設けた上向き傾斜部と、他方の端部に設けた下向き傾斜部と、両傾斜部を繋ぐ水平部とを有するものであり、各リンク部材の下向き傾斜部の先端部を縦桟の下部に回動自在に連結し、上向き傾斜部の先端部を縦桟に回動自在に且つ縦桟の長手方向に沿って移動自在に連結してあり、一方側第１下部リンク部材と一方側第２下部リンク部材の水平部が見込方向に重なり、他方側第１下部リンク部材と他方側第２下部リンク部材の水平部が見込方向に重なっていることを特徴とする請求項５記載の伸縮門扉。
【請求項７】
中間縦桟は、上下動可能に設けた伸長部を有し、一方側上部リンクの他方側端部と他方側上部リンクの一方側端部が伸長部の上部に回動自在に連結してあり、一方側第１下部リンク部材の他方側端部と他方側第２下部リンク部材の一方側端部が伸長部の下部に回動自在に連結してあることを特徴とする請求項５又は６記載の伸縮門扉。
【請求項８】
一方側第２下部リンク部材と他方側第１下部リンク部材との間に付勢部材が設けてあり、付勢部材は一方側下部リンクと他方側下部リンクが縮む方向に付勢していることを特徴とする請求項５，６又は７記載の伸縮門扉。
【請求項９】
吊元側に吊元框を備え、下部リンクは、縦桟の長手方向に沿って移動自在に設けた摺動軸を有し、吊元框に隣接する縦桟は、吊元側に移動可能に吊元框と連結してあり、吊元框は、戸先側に向かうにつれて下り勾配で傾斜したガイド部を有し、門扉を縮めたときに吊元框に隣接する縦桟が吊元側に移動し、それに伴って吊元框に隣接する縦桟の摺動軸がガイド部にガイドされて上方に移動することを特徴とする請求項３，４，５，６，７又は８記載の伸縮門扉。
【請求項１０】
吊元側に吊元框を備え、下部リンクは、縦桟の長手方向に沿って移動自在に設けた摺動軸を有し、吊元框に隣接する縦桟と吊元框とが左右方向に伸縮自在なリンクで連結してあり、リンクは、摺動軸と係合する係合部を有し、係合部は、リンクが縮むにつれて上方に移動するものであり、門扉を縮めたときに吊元框に隣接する縦桟が吊元側に移動し、それに伴って吊元框に隣接する縦桟の摺動軸が係合部と係合して上方に移動することを特徴とする請求項３，４，５，６，７又は８記載の伸縮門扉。
【発明の詳細な説明】
【技術分野】
【０００１】
本発明は、伸縮門扉に関する。
【背景技術】
【０００２】
近年、都市部の住宅等においては、敷地の境界にブロックを積んだりせずに、視線が抜けるオープンな感覚の外構が好まれる傾向がある。従来の一般的な伸縮門扉は、図２５に示すように、多数の縦桟９０をパンタグラフ状のリンク９１で繋いだものとなっている。このような伸縮門扉は、縦桟９０の間隔が２０ｃｍ前後と比較的狭く、且つ斜めの格子状となったリンク９１が視線を遮るため、重く閉鎖的な印象を与え、オープンな感覚の外構とマッチしないものとなっていた。  
【発明の開示】
【発明が解決しようとする課題】
【０００３】
本発明は以上に述べた実情に鑑み、オープンな感覚の外構とよくマッチする軽快な印象の伸縮門扉の提供を目的とする。
【課題を解決するための手段】
【０００４】
上記の課題を達成するために請求項１記載の発明による伸縮門扉は、一方の縦桟と、他方の縦桟と、両縦桟間に設けた中間縦桟と、一方の縦桟と中間縦桟の上部間に設けた一方側上部リンクと、中間縦桟と他方の縦桟の上部間に設けた他方側上部リンクと、一方側上部リンクよりも下方に一方の縦桟と中間縦桟間に設けた一方側下部リンクと、他方側上部リンクよりも下方に中間縦桟と他方の縦桟間に設けた他方側下部リンクとを備え、一方側上部リンクと一方側下部リンクは、一方の端部を一方の縦桟に回動自在に連結し、他方の端部を中間縦桟に回動自在に連結してあり、他方側上部リンクと他方側下部リンクは、一方の端部を中間縦桟に回動自在に連結し、他方の端部を他方の縦桟に回動自在に連結してあり、門扉を縮めたときに一方側上部リンクと一方側下部リンクが一方の縦桟との連結箇所を支点に上方に回動し、他方側上部リンクと他方側下部リンクが他方の縦桟との連結箇所を支点に上方に回動し、それに伴って中間縦桟が上方に移動することを特徴とする。
【０００５】
請求項２記載の発明による伸縮門扉は、請求項１記載の発明の構成に加え、一方側上部リンクと一方側下部リンクは、一方側端部に設けた下向き傾斜部と水平部を有し、下向き傾斜部の先端部を一方の縦桟に回動自在に連結し、水平部の先端部を中間縦桟に回動自在に連結してあり、他方側上部リンクと他方側下部リンクは、他方側端部に設けた下向き傾斜部と水平部を有し、下向き傾斜部の先端部を他方の縦桟に回動自在に連結し、水平部の先端部を中間縦桟に回動自在に連結してあることを特徴とする。
【０００６】
請求項３記載の発明による伸縮門扉は、一方の縦桟と、他方の縦桟と、両縦桟間に設けた中間縦桟と、一方の縦桟と中間縦桟の上部間に設けた一方側上部リンクと、中間縦桟と他方の縦桟の上部間に設けた他方側上部リンクと、一方側上部リンクよりも下方に一方の縦桟と中間縦桟間に設けた一方側下部リンクと、他方側上部リンクよりも下方に中間縦桟と他方の縦桟間に設けた他方側下部リンクとを備え、中間縦桟は、伸縮自在としてあり、一方側上部リンクは、一方の端部を一方の縦桟の上部に回動自在に連結し、他方の端部を中間縦桟の上部に回動自在に連結してあり、他方側上部リンクは、一方の端部を中間縦桟の上部に回動自在に連結し、他方の端部を他方の縦桟の上部に回動自在に連結してあり、門扉を縮めたときに一方側上部リンクが一方の縦桟との連結箇所を支点に上方に回動し、他方側上部リンクが他方の縦桟との連結箇所を支点に上方に回動し、それに伴って中間縦桟が上方に伸びることを特徴とする。
【０００７】
請求項４記載の発明による伸縮門扉は、請求項３記載の発明の構成に加え、一方側上部リンクと他方側上部リンクは、各縦桟の上端部に連結してあり且つ直線状に連続するように設けてあることを特徴とする。
【０００８】
請求項５記載の発明による伸縮門扉は、請求項３又は４記載の発明の構成に加え、一方側下部リンクは、一方側第１下部リンク部材と一方側第２下部リンク部材とを有し、一方側第１下部リンク部材は、一方の端部を一方の縦桟の下部に回動自在に連結し、他方の端部を中間縦桟に回動自在に且つ縦桟の長手方向に沿って移動自在に連結してあり、一方側第２下部リンク部材は、一方の端部を一方の縦桟に回動自在に且つ縦桟の長手方向に沿って移動自在に連結し、他方の端部を中間縦桟の下部に回動自在に連結してあり、他方側下部リンクは、他方側第１下部リンク部材と他方側第２下部リンク部材とを有し、他方側第１下部リンク部材は、一方の端部を中間縦桟の下部に回動自在に連結し、他方の端部を他方の縦桟に回動自在に且つ縦桟の長手方向に沿って移動自在に連結してあり、他方側第２下部リンク部材は、一方の端部を中間縦桟に回動自在に且つ縦桟の長手方向に沿って移動自在に連結し、他方の端部を他方の縦桟の下部に回動自在に連結してあることを特徴とする。
【０００９】
請求項６記載の発明による伸縮門扉は、請求項５記載の発明の構成に加え、一方側第１下部リンク部材と他方側第１下部リンク部材は、一方の端部に設けた下向き傾斜部と、他方の端部に設けた上向き傾斜部と、両傾斜部を繋ぐ水平部とを有するものであり、一方側第２下部リンク部材と他方側第２下部リンク部材は、一方の端部に設けた上向き傾斜部と、他方の端部に設けた下向き傾斜部と、両傾斜部を繋ぐ水平部とを有するものであり、各リンク部材の下向き傾斜部の先端部を縦桟の下部に回動自在に連結し、上向き傾斜部の先端部を縦桟に回動自在に且つ縦桟の長手方向に沿って移動自在に連結してあり、一方側第１下部リンク部材と一方側第２下部リンク部材の水平部が見込方向に重なり、他方側第１下部リンク部材と他方側第２下部リンク部材の水平部が見込方向に重なっていることを特徴とする。
【００１０】
請求項７記載の発明による伸縮門扉は、請求項５又は６記載の発明の構成に加え、中間縦桟は、上下動可能に設けた伸長部を有し、一方側上部リンクの他方側端部と他方側上部リンクの一方側端部が伸長部の上部に回動自在に連結してあり、一方側第１下部リンク部材の他方側端部と他方側第２下部リンク部材の一方側端部が伸長部の下部に回動自在に連結してあることを特徴とする。
【００１１】
請求項８記載の発明による伸縮門扉は、請求項５，６又は７記載の発明の構成に加え、一方側第２下部リンク部材と他方側第１下部リンク部材との間に付勢部材が設けてあり、付勢部材は一方側下部リンクと他方側下部リンクが縮む方向に付勢していることを特徴とする。
【００１２】
請求項９記載の発明による伸縮門扉は、請求項３，４，５，６，７又は８記載の発明の構成に加え、吊元側に吊元框を備え、下部リンクは、縦桟の長手方向に沿って移動自在に設けた摺動軸を有し、吊元框に隣接する縦桟は、吊元側に移動可能に吊元框と連結してあり、吊元框は、戸先側に向かうにつれて下り勾配で傾斜したガイド部を有し、門扉を縮めたときに吊元框に隣接する縦桟が吊元側に移動し、それに伴って吊元框に隣接する縦桟の摺動軸がガイド部にガイドされて上方に移動することを特徴とする。
【００１３】
請求項１０記載の発明による伸縮門扉は、請求項３，４，５，６，７又は８記載の発明の構成に加え、吊元側に吊元框を備え、下部リンクは、縦桟の長手方向に沿って移動自在に設けた摺動軸を有し、吊元框に隣接する縦桟と吊元框とが左右方向に伸縮自在なリンクで連結してあり、リンクは、摺動軸と係合する係合部を有し、係合部は、リンクが縮むにつれて上方に移動するものであり、門扉を縮めたときに吊元框に隣接する縦桟が吊元側に移動し、それに伴って吊元框に隣接する縦桟の摺動軸が係合部と係合して上方に移動することを特徴とする。
【発明の効果】
【００１４】
請求項１記載の発明による伸縮門扉は、一方の縦桟と他方の縦桟と中間縦桟、一方の縦桟と中間縦桟とを連結する一方側上部リンクと一方側下部リンク、中間縦桟と他方の縦桟とを連結する他方側上部リンクと他方側下部リンクとで構成され、各縦桟間及び上部リンクと下部リンクの間を視線が抜けるので、オープン感覚の外構とマッチする軽快な印象の伸縮門扉とすることができる。
【００１５】
請求項２記載の発明による伸縮門扉は、各リンクに水平部を設けたことで、縦桟間の間隔を広くできると共に、フェンスや手摺のような直線的ですっきりした意匠になる。また、各リンクの一方及び他方の縦桟と連結する方の端部に下向き傾斜部を設けたことで、縦桟間の間隔を広くしても門扉を縮める際に各リンクがスムーズに上方に回動する。
【００１６】
請求項３記載の発明による伸縮門扉は、一方の縦桟と他方の縦桟と中間縦桟、一方の縦桟と中間縦桟とを連結する一方側上部リンクと一方側下部リンク、中間縦桟と他方の縦桟とを連結する他方側上部リンクと他方側下部リンクとで構成され、各縦桟間及び上部リンクと下部リンクの間を視線が抜けるので、オープン感覚の外構とマッチする軽快な印象の伸縮門扉とすることができる。また、中間縦桟を伸縮自在とし、門扉を縮めたときに中間縦桟が上方に伸びるようにしたので、中間縦桟全体が上方に移動するものと比べて門扉を縮める際の力を軽くできると共に伸縮動作が安定する。
【００１７】
請求項４記載の発明による伸縮門扉は、一方側上部リンクと他方側上部リンクが各縦桟の上端部に連結してあり且つ直線状に連続するように設けてあることで、上部リンクが笠木や手摺のように見え、よりすっきりした印象になる。
【００１８】
請求項５記載の発明による伸縮門扉は、一方側下部リンクと他方側下部リンクをそれぞれ２本のリンク部材で簡潔に構成できる。
【００１９】
請求項６記載の発明による伸縮門扉は、一方側下部リンクと他方側下部リンクを構成する２本ずつのリンク部材に水平部を設け、水平部が見込み方向に重なるようにしたので、下部リンクがすっきりした印象になると共に縦桟間の間隔を広くすることができ、より一層オープンな感覚のものとなる。しかも、各リンク部材の両端部に下向き傾斜部と上向き傾斜部をそれぞれ設けたことで、縦桟同士の間隔を広くしても下部リンクが軽い力でスムーズに伸縮する。
【００２０】
請求項７記載の発明による伸縮門扉は、中間縦桟に上下動可能に設けた伸長部を有し、一方側上部リンクの他方側端部と他方側上部リンクの一方側端部が伸長部の上部に回動自在に連結してあり、一方側第１下部リンク部材の他方側端部と他方側第２下部リンク部材の一方側端部が伸長部の下部に回動自在に連結してあることで、門扉伸縮時の上部リンクと下部リンクの動きが同調し、門扉がより安定してスムーズに伸縮する。
【００２１】
請求項８記載の発明による伸縮門扉は、一方側第２下部リンク部材と他方側第１下部リンク部材との間に付勢部材が設けてあり、付勢部材は一方側下部リンクと他方側下部リンクが縮む方向に付勢しているので、門扉が全開や半開きのときに、持ち上げられた上部リンクと中間縦桟の自重で門扉が自然に伸びようとするのを防ぎ、門扉を任意の伸縮状態で停止できる。また、門扉を縮めるときの力を軽減できる。
【００２２】
請求項９記載の発明による伸縮門扉は、門扉を縮めたときに、吊元框に隣接する縦桟の摺動軸が吊元框に設けたガイド部にガイドされて上方に移動することで、下部リンクが縮むのを補助するため、門扉を開き始めるときの力を小さくできる。
【００２３】
請求項１０記載の発明による伸縮門扉は、門扉を縮めたときに、吊元框に隣接する縦桟の摺動軸がリンクの係合部と係合して上方に移動することで、下部リンクが縮むのを補助するため、門扉を開き始めるときの力を小さくできる。
【発明を実施するための最良の形態】
【００２４】
以下、本発明の実施の形態を図面に基づいて説明する。図１〜図４は、本発明の伸縮門扉の第１実施形態を示している。本伸縮門扉は、図１に示すように、一方の縦桟１と、他方の縦桟２と、両縦桟１，２間に設けた中間縦桟３と、一方の縦桟１と中間縦桟３の上部間に設けた一方側上部リンク４と、中間縦桟３と他方の縦桟２の上部間に設けた他方側上部リンク５と、一方の縦桟１と中間縦桟３の下部間に設けた一方側下部リンク６と、中間縦桟３と他方の縦桟２の下部間に設けた他方側下部リンク７とで１つの区間が構成されており、これを左右に２区間分連続させている。一方の縦桟１と中間縦桟３との間隔Ｐ１、中間縦桟３と他方の縦桟２との間隔Ｐ２、上部リンク４，５と下部リンク６，７との間隔Ｐ３は、いずれも約７５０ｍｍと非常に広くあいており、そのため見込み方向に視線が抜けるオープンな感覚の意匠になっている。また、一方側上部リンク４と他方側上部リンク５、一方側下部リンク６と他方側下部リンク７とが、中間縦桟３を挟んでそれぞれ水平に連続するように配置してあり、斜めのリンクが多数配置された従来の伸縮門扉とは異なり、手摺やフェンスのような直線的ですっきりした意匠となっている。
【００２５】
一方の縦桟１と他方の縦桟２は、図２に示すように、見込み方向に間隔をおいてそれぞれ２本ずつ設けてあり、前後の縦桟１，１、２，２の下端部をステー２０で連結すると共に、ステー２０の両端部にキャスター２１を取付けている。中間縦桟３は、前後の縦桟１，１、２，２の見込み方向の中間位置に設けてあり、下端部にキャスター２２を取付けている。
【００２６】
一方側上部リンク４は、一方側端部に設けた下向き傾斜部４ａと水平部４ｂとを有し、下向き傾斜部４ａの先端部を一方の縦桟１の上部に見込み方向の軸２３ａで回動自在に連結し、水平部４ｂの先端部を中間縦桟３の上端部に見込み方向の軸２３ｂで回動自在に連結してある。下向き傾斜部４ａの先端部を一方の縦桟１に連結している軸２３ａには、図３（ａ）に示すように、捻りバネ２４が遊嵌して設けてあり、捻りバネ２４の前後の端部が下向き傾斜部４ａと一方の縦桟１とに係止してある。この捻りバネ２４は、図中の矢印  ２５で示すように、一方側上部リンク４を軸２３ａを支点として上方に回動する向きで付勢している。図中の符号２６は、下向き傾斜部４ａが見込み方向に移動するのを防ぐために軸２３ａに嵌めたカラーである。
他方側上部リンク５は、一方側上部リンク４と左右対称なものであり、他方側端部に設けた下向き傾斜部５ａと水平部５ｂを有し、下向き傾斜部５ａの先端部を他方の縦桟２の上部に見込み方向の軸２７ａで回動自在に連結し、水平部５ｂの先端部を中間縦桟３の上端部に見込み方向の軸２７ｂで回動自在に連結してある。下向き傾斜部５ｂの先端部を他方の縦桟２に連結している軸２７ａには、図３（ｂ）に示すように、捻りバネ２８が遊嵌して設けてあり、捻りバネ２８の前後の端部が他方側上部リンク５の下向き傾斜部５ａと、右隣りのユニットの一方側上部リンク４の下向き傾斜部４ａとに係止してある。この捻りバネ２８は、図中の矢印２５で示すように、他方側上部リンク５と一方側上部リンク４を軸２７ａを支点として上方に回動する向きで付勢している。
一方側下部リンク６は、一方側上部リンク４と同じ形状であり、下向き傾斜部６ａの先端部を一方の縦桟１の下端部に見込み方向の軸２９ａで回動自在に連結し、水平部６ｂの先端部を中間縦桟３の下部に見込み方向の軸２９ｂで回動自在に連結してある。他方側下部リンク７は、他方側上部リンク５と同じ形状であり、下向き傾斜部７ａの先端部を他方の縦桟２の下端部に見込み方向の軸３０ａで回動自在に連結し、水平部７ｂの先端部を中間縦桟３の下部に見込み方向の軸３０ｂで回動自在に連結してある。
【００２７】
図４（ａ）は本伸縮門扉を途中まで縮めた状態を示し、図４（ｂ）は本伸縮門扉を最も縮めた状態を示している。これらの図に示すように、本伸縮門扉を縮めてゆくと、一方側上部リンク４、他方側上部リンク５、一方側下部リンク６、他方側下部リンク７の各リンクが、それぞれ一方及び他方の縦桟１，２側の軸２３ａ，２７ａ，２９ａ，３０ａを支点として上方に回動し、それに伴って中間縦桟３が上方に移動する。各リンク４，５，６，７に水平部４ｂ，５ｂ，６ｂ，７ｂを設けたことで、縦桟間の間隔Ｐ１，Ｐ２を広くすることができ、また、一方又は他方の縦桟１，２と連結する方の端部に下向き傾斜部４ａ，５ａ，６ａ，７ａを設けたことで、図４（ａ）に示すように、縦桟１に門扉を縮める方向に力Ｆを加えたときに、各リンク４，５，６，７が軸２３ａ，２７ａ，２９ａ，３０ａを支点として上方にスムーズに回動する。門扉を縮めた状態では、中間縦桟３と各リンク４，５，６，７の自重により、そのままでは門扉が勝手に伸びようとするが、先に述べたように、一方側上部リンク４と他方側上部リンク５を上方に回動する向きで捻りバネ２４，２８により付勢してあるため、門扉を任意の長さに縮めた状態で停止させることができる。また、捻りバネ２４，２８の付勢力２５が作用していることで、門扉を縮める際の操作力Ｆを軽減することができる。
【００２８】
図５〜図１３は、本発明の伸縮門扉の第２実施形態を示している。本伸縮門扉は、図５に示すように、一方の縦桟１と、他方の縦桟２と、両縦桟１，２間に設けた中間縦桟３と、一方の縦桟１と中間縦桟３の上部間に設けた一方側上部リンク４と、中間縦桟３と他方の縦桟２の上部間に設けた他方側上部リンク５と、一方の縦桟１と中間縦桟３の下部間に設けた一方側下部リンク６と、中間縦桟３と他方の縦桟２の下部間に設けた他方側下部リンク７とで１つの区間が構成されており、これを左右に２区間分連続させている。一方の縦桟１と中間縦桟３との間隔Ｐ１、中間縦桟３と他方の縦桟２との間隔Ｐ２、上部リンク４，５と下部リンク６，７との間隔Ｐ３は、いずれも約７５０ｍｍと非常に広くあいており、そのため見込み方向に視線が抜けるオープンな感覚の意匠になっている。また、一方側上部リンク４と他方側上部リンク５、一方側下部リンク６と他方側下部リンク７とが、それぞれ水平に連続するように配置してあり、斜めのリンクが多数配置された従来の伸縮門扉とは異なり、手摺やフェンスのような直線的ですっきりした意匠となっている。
【００２９】
一方の縦桟１と他方の縦桟２は、図８〜１１に示すように、一側面に長手方向にスリット５７が形成された略Ｃ字状断面のアルミ押出形材よりなり、スリット５７を内側に向けて前側と後側に対向して設けてある。前後の縦桟１，１、２，２は、図６（ａ）に示すように、下端部をステー２０ａで連結してあり、ステー２０ａの前後両端部にキャスター２１ａを取付けてある。
中間縦桟３は、図９と図１１に示すように、一側面に長手方向にスリット５７が形成された略Ｃ字状断面のアルミ押出形材よりなるガイド縦桟３ａを、スリット５７を内側に向けて前後に対向して配置してあると共に、前後のガイド縦桟３ａ，３ａの間に角パイプよりなる伸長部３ｂを設けてある。伸長部３ｂの下部には、前後のガイド縦桟３ａ，３ａにローラー３１を介して上下動可能に案内した摺動軸１５ａ，３２が２本挿通してあり、摺動軸１５ａ，３２により伸長部３ｂはガイド縦桟３ａの長手方向に移動自在に案内され、伸長部３ｂが上方に移動することで、中間縦桟３が上方に伸長自在となっている。前後のガイド縦桟３ａ，３ａは、図６（ｂ）に示すように、下端部をステー２０ｂで連結してあり、ステー２０ｂの前後端部にキャスター２１ｂを取付けてある。中間縦桟３のキャスター２１ｂの取付け間隔Ｐ４は、一方及び他方の縦桟１，２のキャスター２１ａの取付間隔Ｐ５よりも小さくなっている。
【００３０】
一方側上部リンク４と他方側上部リンク５は、断面下向きコ字状の笠木となっており、各縦桟１，２，３の上端よりも高い位置に一直線に連続して設けてある。図５（ｂ）と図６（ａ）に示すように、一方側上部リンク４の一方側端部には、下方にのびるブラケット３３が取付けてあり、ブラケット３３の下端部を一方の縦桟１の上端部に見込み方向の軸３４で回動自在に連結してある。一方側上部リンク４の他方側端部には、図７，８に示すように、他方側にのびるブラケット３５が取付けてあり、ブラケット３５の先端部を中間縦桟の伸長部３ｂ上端部に取付けたブラケット３６に見込み方向の軸３７で回動自在に連結してある。他方側上部リンク５の内側には、断面下向きコ字状のブラケット３８が取付けてあり、当該ブラケット３８と伸長部３ｂの上端部に取付けたブラケット３６とを見込み方向の軸３９で回動自在に連結してある。他方側上部リンク５の一方側端部は、一方側上部リンク４に取付けたブラケット３５上に乗っており、また前後の壁が下側から斜めに切断してある。他方側上部リンク５に取付けたブラケット３８の前記軸３９の挿通孔４０は、左右方向の長孔となっている。他方側上部リンク５の他方側端部は、図５（ｂ）に示すように、他方の縦桟２の上端部に取付けたブラケット４１に見込み方向の軸４２で回動自在に連結してある。
【００３１】
一方側下部リンク６は、図９〜１１に示すように、縦桟１，１、３ａ，３ａ間の下部に見込み方向に間隔をおいて配置した一方側第１下部リンク部材８と一方側第２下部リンク部材９を有している。一方側第１下部リンク部材８は、一方側端部に設けた下向き傾斜部８ａと、他方側端部に設けた上向き傾斜部８ｂと、両傾斜部を繋ぐ水平部８ｃとを有するものとなっている。一方側第２下部リンク部材９は、一方側第１下部リンク部材８とは左右が逆になっており、一方側端部に設けた上向き傾斜部９ｂと、他方側端部に設けた下向き傾斜部９ａと、両傾斜部を繋ぐ水平部９ｃとを有するものとなっている。一方側第１下部リンク部材８の下向き傾斜部８ａの先端部は、見込み方向の軸４３ａにより一方の縦桟１の下端部に回動自在に連結してあり、一方側第１下部リンク部材８の上向き傾斜部８ｂの先端部は、摺動軸１５ａにより中間縦桟３に回動自在に且つ縦桟の長手方向に沿って移動自在に連結してある。一方側第２下部リンク部材９の下向き傾斜部９ａの先端部は、見込み方向の軸４３ｂにより中間縦桟３の下端部に回動自在に連結してあり、一方側第２下部リンク部材９の上向き傾斜部９ｂの先端部は、摺動軸１５ｂにより一方の縦桟１に回動自在に且つ縦桟の長手方向に沿って移動自在に連結してある。一方側第１下部リンク部材８の水平部８ｃと一方側第２下部リンク部材９の水平部９ｃは、見込み方向に重なっており、両水平部８ｃ，９ｃの中央部を見込み方向の軸４４ａで回動自在に連結してある。
他方側下部リンク７は、一方側下部リンク６と同様に、見込み方向に間隔をおいて配置した他方側第１下部リンク部材１０と他方側第２下部リンク部材１１とを有している。他方側第１下部リンク部材１０は、一方側端部に設けた下向き傾斜部１０ａと、他方側端部に設けた上向き傾斜部１０ｂと、両傾斜部を繋ぐ水平部１０ｃとを有するものとなっている。他方側第２下部リンク部材１１は、他方側第１下部リンク部材１０とは左右が逆になっており、一方側端部に設けた上向き傾斜部１１ｂと、他方側端部に設けた下向き傾斜部１１ａと、両傾斜部を繋ぐ水平部１１ｃとを有するものとなっている。他方側第１下部リンク部材１０の下向き傾斜部１０ａの先端部は、見込み方向の軸４３ｂにより中間縦桟３の下端部に回動自在に連結してあり、他方側第１下部リンク部材１０の上向き傾斜部１０ｂの先端部は、摺動軸１５ｃにより他方の縦桟２に回動自在に且つ縦桟の長手方向に沿って移動自在に連結してある。他方側第２下部リンク部材１１の下向き傾斜部１１ａの先端部は、見込み方向の軸４３ｃにより他方の縦桟２の下端部に回動自在に連結してあり、他方側第２下部リンク部材１１の上向き傾斜部１１ｂの先端部は、摺動軸１５ａにより中間縦桟３に回動自在に且つ縦桟の長手方向に沿って移動自在に連結してある。他方側第１下部リンク部材１０の水平部１０ｃと他方側第２下部リンク部材１１の水平部１１ｃは、見込み方向に重なっており、両水平部１０ｃ，１１ｃの中央部を見込み方向の軸４４ｂで回動自在に連結してある。
【００３２】
一方側第１下部リンク部材８の上向き傾斜部８ｂの先端部及び他方側第２下部リンク部材１１の上向き傾斜部１１ｂの先端部に挿通した摺動軸１５ａは、中間縦桟３の伸長部３ｂの下端部にも挿通されており、伸長部３ｂにより一方側・他方側下部リンク６，７と一方側・他方側上部リンク４，５とを連結している。
【００３３】
一方側第２下部リンク部材９の下向き傾斜部９ａの先端部及び他方側第１下部リンク部材１０の下向き傾斜部１０ａの先端部を中間縦桟３に連結している軸４３ｂには、図１０に示すように、捻りバネ１２が遊嵌して設けてあり、捻りバネ１２の前後の端部が前記各リンク部材の下向き傾斜部９ａ，１０ａに係止してある。この捻りバネ１２は、図中の矢印４５で示すように、前記各リンク部材９，１０を軸４３ｂを支点として上方に回動する向き（一方側下部リンク６と他方側下部リンク７が縮む方向）に付勢している。
【００３４】
図１２は本伸縮門扉を途中まで縮めた状態を示し、図１３は本伸縮門扉を最も縮めた状態を示している。これらの図に示すように、本伸縮門扉を縮めてゆくと、一方側上部リンク４と他方側上部リンク５が、それぞれ一方及び他方の縦桟１，２側の軸３４，４２を支点として上方に回動し、それに伴って中間縦桟３の伸長部３ｂが上方に移動し、中間縦桟３が上方に伸びる。一方側下部リンク６と他方側下部リンク７は、各リンク部材８，９，１０，１１が下向き傾斜部８ａ，９ａ，１０ａ，１１ａに挿通した軸４３ａ，４３ｂ，４３ｃを支点として上方に回動し、上向き傾斜部８ｂ，９ｂ，１０ｂ，１１ｂに挿通した摺動軸１５ａ，１５ｂ，１５ｃが縦桟１，２，３の上方にスライドすることにより縮む。
下部リンク６，７を構成する各リンク部材８，９，１０，１１に水平部８ｃ，９ｃ，１０ｃ，１１ｃが設けてあり、且つ水平部８ｃ，９ｃと水平部１０ｃ，１１ｃが、それぞれ見込み方向に重なることで、縦桟間の間隔Ｐ１，Ｐ２を広くできると共に、下部リンク６，７が水平に配置されて目立たなくなる。また、各リンク部材８，９，１０，１１の両端部に下向き傾斜部８ａ，９ａ，１０ａ，１１ａと上向き傾斜部８ｂ，９ｂ，１０ｂ，１１ｂを設けたことで、縦桟１に門扉を縮める方向に力Ｆを加えたときに、各リンク部材８，９，１０，１１が軸４３ａ，４３ｂ，４３ｃを支点として上方にスムーズに回動する。門扉を縮めた状態では、中間縦桟３の伸長部３ｂと各リンク４，５，６，７の自重により、そのままでは門扉が勝手に伸びようとするが、先に述べたように、捻りバネ１２により一方側下部リンク６と他方側下部リンク７を縮む方向に付勢してあるため、門扉を任意の長さに縮めた状態で停止させることができる。また、捻りバネ１２の付勢力が作用していることで、門扉を縮める際の操作力Ｆを軽減することができる。さらに、中間縦桟３の伸長部３ｂが一方側・他方側上部リンク４，５と一方側・他方側下部リンク６，７とを連結しているので、門扉伸縮時の上部リンク４，５と下部リンク６，７の動きが同調し、門扉が安定してスムーズに伸縮する。一方及び他方の縦桟１，２のキャスター２１ａの取付間隔Ｐ５と、中間縦桟３のキャスター２１ｂの取付間隔Ｐ４とを違わせてあるため、図１３に示すように、門扉を縮めたときに隣り合うキャスター２１ａ，２１ｂ同士がぶつかるのを防ぎ、伸縮門扉の畳み幅を小さくできる。
【００３５】
図１４〜１９は、本発明の伸縮門扉の第３実施形態を示している。本実施形態は、一方側（左側）を戸先側、他方側（右側）を吊元側とし、左右の支柱４６ａ，４６ｂ間の間口に伸縮門扉を設置している。伸縮門扉自体の構造は、上述の第２実施形態のものと同様である。
左端の縦桟１（一方の縦桟１）には戸先框４７が取付けてあり、戸先框４７には支柱４６ａへの掛止具４８と操作ハンドル４９とを備えている。右端の縦桟２（他方の縦桟２）は吊元框１３と連結してあり、吊元框１３は支柱４６ｂにヒンジ５０で取付けてある。
【００３６】
吊元框１３は、図１５，１６に示すように、上部と下部の前側と後側の４箇所にガイドレール５１が戸先側に突出して設けてあり、吊元框１３に隣接する右端の縦桟２にはガイドレール５１と係合するローラー５２を有しており、このガイドレール５１とローラー５２を介して吊元側に移動可能としてある。さらに、吊元框１３の下部には、戸先側に突出するガイドプレート５３を設けてある。ガイドプレート５３は、戸先側に向かうにつれて下り勾配で傾斜したガイド部１４を有している。
【００３７】
図１７に示すように、門扉を開けようとして操作ハンドル４９に吊元側に力Ｆを加えると、右端の縦桟２が吊元側に移動可能に吊元框１３と連結してあるため、まず伸縮門扉が全体的に吊元側に移動する。この時、図１８に示すように、他方側第１下部リンク部材１０の上向き傾斜部１０ｂに挿通した摺動軸１５ｃがガイド部１４に乗り上げて上方に移動する。これにより、操作ハンドル４９から吊元側に向けて加えた力Ｆが一方側・他方側下部リンク６，７を縮ませる力に変換され、その力は中間縦桟３の伸長部３ｂを介して一方側・他方側上部リンク４，５を押し上げることにもなるから、伸縮門扉を開ける際に操作ハンドル４９に加える力Ｆを小さくできる。なお、図中の符号５４は、門扉を縮めたときに縦桟２に当接し、縦桟２がそれ以上吊元側に移動するのを規制するストッパーである。各ガイドレール５１の先端部には、縦桟２に取付けたローラー５２がガイドレール５１から外れるのを防ぐストッパー（図示省略）を有している。
【００３８】
図２０〜２４は、本発明の伸縮門扉の第４実施形態を示している。本実施形態は、第３実施形態のものと同様に、一方側（左側）を戸先側、他方側（右側）を吊元側とし、左右の支柱４６ａ，４６ｂ間の間口に伸縮門扉を設置している。伸縮門扉自体の構造は、第２実施形態のものと同様である。
【００３９】
右端の縦桟２（他方の縦桟２）と吊元框１３とは、図２１，２２に示すように、Ｘ字状のリンク１６ａ，１６ｂにより連結されている。リンク１６ａ，１６ｂの端部を吊元框１３と縦桟２に連結している８本の軸のうち、軸５５ａ，５５ｂ，５５ｇ，５５ｈは吊元框１３と縦桟２にそれぞれ固定してあり、軸５５ｃ，５５ｄ，５５ｅ，５５ｆは吊元框１３と縦桟２に上下方向に移動自在に取付けてあり、したがって上下のリンク１６ａ，１６ｂは左右方向に伸縮自在となり、リンク１６ａ，１６ｂの伸縮に伴って縦桟２が吊元框１３に対して接近・離間自在となっている。下側のリンク１６ｂの縦桟２側の上下動自在な軸５５ｅにはプレート５６が取付けてあり、プレート５６にはアングル状の係合部１７が取付けてある。係合部１７は、他方側第１下部リンク部材１０の上向き傾斜部１０ｂに挿通した摺動軸１５ｃに、下方より係合している。
【００４０】
門扉を開けようとして操作ハンドル４９を吊元側に動かすと、図２３に示すように、リンク１６ａ，１６ｂが縮みながら縦桟２が吊元側に移動する。この時、リンク１６ｂの軸５５ｅが上方に移動するのに伴い、摺動軸１５ｃが係合部１７と係合して上方に移動する。これにより、操作ハンドル４９から吊元側に向けて加えた力が一方側・他方側下部リンク６，７を縮ませる力に変換され、その力は中間縦桟３の伸長部３ｂを介して一方側・他方側上部リンク４，５を押し上げることにもなるから、伸縮門扉を開ける際に操作ハンドル４９に加える力を小さくできる。
【００４１】
本発明は以上に述べた実施形態に限定されない。第１実施形態において、一方側上部リンク、他方側上部リンク、一方側下部リンク、他方側下部リンクをそれぞれまっすぐな棒状とし、中間縦桟から一方及び他方の縦桟に向けて斜め下向きに配置することもできる。第２実施形態において、各下部リンク部材をまっすぐな棒状とし、一方側下部リンクと他方側下部リンクをそれぞれＸ字状とすることもできる。
【図面の簡単な説明】
【００４２】
【図１】（ａ）は第１実施形態の伸縮門扉の平面図であり、（ｂ）は同伸縮門扉の正面図である。
【図２】第１実施形態の伸縮門扉の側面図である。
【図３】（ａ）は図１のＡ−Ａ断面図であり、（ｂ）は図１のＢ−Ｂ断面図である。
【図４】（ａ）は第１実施形態の伸縮門扉を途中まで縮めた状態を示す正面図であり、（ｂ）は第１実施形態の伸縮門扉を最も縮めた状態を示す正面図である。
【図５】（ａ）は第２実施形態の伸縮門扉の平面図であり、（ｂ）は同伸縮門扉の正面図である。
【図６】（ａ）は第２実施形態の伸縮門扉の側面図であり、（ｂ）は図５のＡ−Ａ断面図である。
【図７】図５のＸ部拡大図である。
【図８】図５のＢ−Ｂ断面図である。
【図９】図５のＣ−Ｃ断面図である。
【図１０】図５のＤ−Ｄ断面図である。
【図１１】一方側下部リンク及び他方側下部リンクの斜視図である。
【図１２】第２実施形態の伸縮門扉を途中まで縮めた状態を示す正面図である。
【図１３】第２実施形態の伸縮門扉を最も縮めた状態を示す正面図である。
【図１４】第３実施形態の伸縮門扉の正面図である。
【図１５】第３実施形態の伸縮門扉の吊元側を拡大して示す正面図である。
【図１６】図１５のＡ−Ａ断面図である。
【図１７】第３実施形態の伸縮門扉を途中まで縮めた状態を示す正面図である。
【図１８】図１７の状態における吊元側の拡大正面図である。
【図１９】第３実施形態の伸縮門扉を最も縮めた状態を示す正面図である。
【図２０】第４実施形態の伸縮門扉の正面図である。
【図２１】第４実施形態の伸縮門扉の吊元側を拡大して示す正面図である。
【図２２】図２１のＡ−Ａ断面図である。
【図２３】第４実施形態の伸縮門扉を途中まで縮めたときの吊元側の拡大正面図である。
【図２４】第４実施形態の伸縮門扉を最も縮めた状態を示す正面図である。
【図２５】従来の伸縮門扉を示す正面図である。
【符号の説明】
【００４３】
１  一方の縦桟
２  他方の縦桟
３  中間縦桟
３ａ  ガイド縦桟
３ｂ  伸長部
４  一方側上部リンク
５  他方側上部リンク
６  一方側下部リンク
７  他方側下部リンク
４ａ，５ａ，６ａ，７ａ  下向き傾斜部
４ｂ，５ｂ，６ｂ，７ｂ  水平部
８  一方側第１下部リンク部材
９  一方側第２下部リンク部材
１０  他方側第１下部リンク部材
１１  他方側第２下部リンク部材
８ａ，９ａ，１０ａ，１１ａ  下向き傾斜部
８ｂ，９ｂ，１０ｂ，１１ｂ  上向き傾斜部
８ｃ，９ｃ，１０ｃ，１１ｃ  水平部
１２，２４，２８  捻りバネ（付勢部材）
１３  吊元框
１４  ガイド部
１５ａ，１５ｂ，１５ｃ  摺動軸
１６ａ，１６ｂ  リンク
１７  係合部
【図１】
2009287307.tif 000003
【図２】
2009287307.tif 000004
【図３】
2009287307.tif 000005
【図４】
2009287307.tif 000006
【図５】
2009287307.tif 000007
【図６】
2009287307.tif 000008
【図７】
2009287307.tif 000009
【図８】
2009287307.tif 000010
【図９】
2009287307.tif 000011
【図１０】
2009287307.tif 000012
【図１１】
2009287307.tif 000013
【図１２】
2009287307.tif 000014
【図１３】
2009287307.tif 000015
【図１４】
2009287307.tif 000016
【図１５】
2009287307.tif 000017
【図１６】
2009287307.tif 000018
【図１７】
2009287307.tif 000019
【図１８】
2009287307.tif 000020
【図１９】
2009287307.tif 000021
【図２０】
2009287307.tif 000022
【図２１】
2009287307.tif 000023
【図２２】
2009287307.tif 000024
【図２３】
2009287307.tif 000025
【図２４】
2009287307.tif 000026
【図２５】
2009287307.tif 000027